(57)【要約】【課題】切断された２つのボールを、その切断面がずれることなく正確に溶着結合できる樹脂ボールチェーンの溶着結合装置とする。【解決手段】ボール収容部１１と紐収容部１２を有し、互いに接近する方向、離隔する方向に移動する一対の樹脂ボールチェーン載置台１０，１０と、ヒータ２０を備え、切断された２つのボールの一方のボール分割部分２ａを各ボール収容部１１に収容して動かないように保持し、ヒータ２０を加熱位置に移動して各ボールの一方のボール分割部分２ａの切断面２ｃを溶融し、前記ヒータ２０を退避位置に移動して一対の樹脂ボールチェーン載置台１０を互いに接近する方向に移動して保持しているボールの一方のボール分割部分２ａの切断面２ｃ相互を圧接して溶着結合できるようにする。【選択図】図３
0003157258.tif 000002
【実用新案登録請求の範囲】
【請求項１】
樹脂ボールチェーンの切断された２つのボールの切断面相互を溶着結合する装置であって、
一対の樹脂ボールチェーン載置台１０，１０と、ヒータ２０を備え、
前記一対の樹脂ボールチェーン載置台１０はボール収容部１１と、紐収容部１２をそれぞれ有し、互いに接近、離隔する方向に移動自在とし、
前記ボール収容部１１は、樹脂ボールチェーンにおける切断したボールの一方のボール分割部分２ａを収納して動かないように保持すると共に、一対の樹脂ボールチェーン載置台１０を互いに接近する方向に移動することで保持しているボールの一方のボール分割部分２ａの切断面２ｃ相互を圧接できるようにし、
前記紐収容部１２は、前記ボールの一方のボール分割部分２ａと連続した紐１を収納するようにし、
前記ヒータ２０は、各ボール収容部１１に収容している２つのボールの一方のボール分割部分２ａの切断面２ｃを加熱する加熱位置と、その２つのボールの一方のボール分割部分２ａの切断面２ｃ相互を圧接するときに邪魔にならない退避位置に移動自在としたことを特徴とする樹脂ボールチェーンの溶着結合装置。
【請求項２】
前記一対の樹脂ボールチェーン載置台１０のボール収容部１１は、切断したボールの一方のボール分割部分２ａの切断面２ｃが、載置台の対向側の端面１０ａから所定の長さ分だけ突出して収容するようにし、
前記紐収容部１２は、ボール収容部１１の底面１１ａと載置台の対向側の端面１０ａと反対側の端面１０ｃとに亘って連続し、前記切断したボールの一方のボール分割部分２ａと隣接したボール２との間の紐が収容され、かつ前記隣接したボール２が載置台の反対側の端面１０ｃに当接するようにした請求項１記載の樹脂ボールチェーンの溶着結合装置。
【請求項３】
前記ヒータ２０は、前記一対の樹脂ボールチェーン載置台１０の対向側の端面１０ａ間に入り込み、収納しているボールの一方のボール分割部分２ａの切断面２ｃと対向する加熱位置と、前記対向側の端面１０ａ間から抜け出す退避位置とに亘って移動自在とし、
前記ヒータ２０が加熱位置のときに、一対の樹脂ボールチェーン載置台１０を互いに接近する方向に移動することで収容しているボールの一方のボール分割部分２ａの切断面２ｃがヒータ２０に圧接可能とした請求項２記載の樹脂ボールチェーンの溶着結合装置。
【請求項４】
前記一対の樹脂ボールチェーン載置台１０に、加熱位置のヒータ２０に接して保持しているボールの一方のボール分割部分２ａの溶融代を規制する第１ストッパ４０と、一対のボールの一方のボール分割部分２ａを圧接するときに相互に当接して圧接代を規制する第２ストッパ５０を設けた請求項３記載の樹脂ボールチェーンの溶着結合装置。
【考案の詳細な説明】
【技術分野】
【０００１】
本考案は、輪状態として製造された樹脂ボールチェーンの長さを変更等するために、切断された２つのボールの切断面相互を溶着して結合する装置に関する。
【背景技術】
【０００２】
樹脂ボールチェーンとしては、特許文献１に開示されたように、合成樹脂材料から成る紐に、合成樹脂材料から成るボールを長手方向に等間隔に設けたものが知られている。
この樹脂ボールチェーンは、紐の両端を溶着結合すると共に、その溶着結合部を上型、下型の雌型内にセットし、その雌型内に溶融合成樹脂材料を注入してボールを形成して輪状態のボールチェーンとしている。
【先行技術文献】
【特許文献】
【０００３】
【特許文献１】実公昭６２−４５０２５号公報
【考案の開示】
【考案が解決しようとする課題】
【０００４】
前述した樹脂ボールチェーンは、一定の長さを持った輪状態として製造、販売するのが一般的である。
一方、樹脂ボールチェーンの需要者としては、用途によっては、樹脂ボールチェーンの長さが製造、販売されたものより短いほうがよい場合や、長いほうがよい場合が多々ある。
このような場合には、需要者は購入した樹脂ボールチェーンを、使用する長さに対応した２つのボール部分で切断し、その２つのボールの切断面相互を手作業で溶着結合して１つのボールとすることで使用する長さの樹脂ボールチェーンとしている。
【０００５】
しかし、２つのボールの切断面相互の溶着結合が手作業のために、溶着結合させる際に２つのボールの切断面同士がずれてしまい不完全で見栄えの悪いボールが形成されてしまうことがあり、樹脂ボールチェーンとしての品質が落ちることになる。
このことを解消するために、樹脂ボールチェーンを、使用する長さに対応して紐の２ヶ所を切断し、その切断面相互を前述した従来の樹脂ボールチェーンのように溶着結合することが考えられるが、前述した従来の溶着結合を行うには大掛かりな装置が必要であるし、溶融合成樹脂材料を注入して形成したボールと、そのボールと隣接したボールの間隔が、他の隣接した２つのボール間隔よりも狭いので、樹脂ボールチェーンをブラインドの昇降用として用いた場合に不具合が生じることがある。
【０００６】
本考案の目的は、切断された２つのボールを、その切断面がずれることなく正確に溶着結合することができる樹脂ボールチェーンの溶着結合装置とすることである。
【課題を解決するための手段】
【０００７】
本考案は、樹脂ボールチェーンの切断された２つのボールの切断面相互を溶着結合する装置であって、一対の樹脂ボールチェーン載置台１０，１０と、ヒータ２０を備え、
前記一対の樹脂ボールチェーン載置台１０はボール収容部１１と、紐収容部１２をそれぞれ有し、互いに接近、離隔する方向に移動自在とし、
前記ボール収容部１１は、樹脂ボールチェーンにおける切断したボールの一方のボール分割部分２ａを収納して動かないように保持すると共に、一対の樹脂ボールチェーン載置台１０を互いに接近する方向に移動することで保持しているボールの一方のボール分割部分２ａの切断面２ｃ相互を圧接できるようにし、
前記紐収容部１２は、前記ボールの一方のボール分割部分２ａと連続した紐１を収納するようにし、
前記ヒータ２０は、各ボール収容部１１に収容している２つのボールの一方のボール分割部分２ａの切断面２ｃを加熱する加熱位置と、その２つのボールの一方のボール分割部分２ａの切断面２ｃ相互を圧接するときに邪魔にならない退避位置に移動自在としたことを特徴とする樹脂ボールチェーンの溶着結合装置である。
【０００８】
本考案においては、前記一対の樹脂ボールチェーン載置台１０のボール収容部１１は、切断したボールの一方のボール分割部分２ａの切断面２ｃが、載置台の対向側の端面１０ａから所定の長さ分だけ突出して収容するようにし、
前記紐収容部１２は、ボール収容部１１の底面１１ａと載置台の対向側の端面１０ａと反対側の端面１０ｃとに亘って連続し、前記切断したボールの一方のボール分割部分２ａと隣接したボール２との間の紐が収容され、かつ前記隣接したボール２が載置台の反対側の端面１０ｃに当接するようにした樹脂ボールチェーンの溶着結合装置とすることができる。
【０００９】
このようにすれば、ボール収納部１１に収容して保持したボールの一方のボール分割部分２ａの切断面２ｃを溶融した状態で、一対の樹脂ボールチェーン載置台１０を互いに接近する方向に移動することで、ボールの一方のボール分割部分２ａの載置台の対向側の端面１０ａから突出している部分を位置ずれ無く容易に圧接して溶着結合できる。
しかも、ボールの一方のボール分割部分２ａがボール収容部１１の底面１１ａに当接し、かつ隣接したボール２が載置台の反対側の端面１０ｃに当接するので、ボールの一方のボール分割部分２ａをぶれることなく安定的に保持できる。
【００１０】
本考案においては、前記ヒータ２０は、前記一対の樹脂ボールチェーン載置台１０の対向側の端面１０ａ間に入り込み、収納しているボールの一方のボール分割部分２ａの切断面２ｃと対向する加熱位置と、前記対向側の端面１０ａ間から抜け出す退避位置とに亘って移動自在とし、
前記ヒータ２０が加熱位置のときに、一対の樹脂ボールチェーン載置台１０を互いに接近する方向に移動することで収容しているボールの一方のボール分割部分２ａの切断面２ｃがヒータ２０に圧接可能とした樹脂ボールチェーンの溶着結合装置とすることができる。
【００１１】
このようにすれば、ヒータ２０を加熱位置として一対の樹脂ボールチェーン載置台１０を互いに接近する方向に移動することで、保持しているボールの一方のボール分割部分２ａの切断面２ｃをヒータ２０に押しつけて十分に加熱溶融できる。
【００１２】
本考案においては、前記一対の樹脂ボールチェーン載置台１０に、加熱位置のヒータ２０に接して保持しているボールの一方のボール分割部分２ａの溶融代を規制する第１ストッパ４０と、一対のボールの一方のボール分割部分２ａを圧接するときに相互に当接して圧接代を規制する第２ストッパ５０を設けた樹脂ボールチェーンの溶着結合装置とすることができる。
【００１３】
このようにすれば、２つのボールの一方のボール分割部分２ａを溶着結合して所定の大きさのボールとすることができる。
【考案の効果】
【００１４】
本考案によれば、樹脂ボールチェーンの切断された２つのボールの一方のボール分割部分２ａを樹脂ボールチェーン載置台１０のボール収容部１１に収容して保持し、そのボールの一方のボール分割部分２ａの切断面２ｃをヒータ２０で加熱して溶融し、その後に一対の樹脂ボールチェーン載置台１０を互いに接近する方向に移動して切断面２ｃ相互を圧接することで、切断したボールの一方のボール分割部分２ａが、その切断面２ｃがずれることなく正確に溶着結合される。
したがって、切断された２つのボールを、その切断面がずれることなく正確に溶着結合することができる。
【図面の簡単な説明】
【００１５】
【図１】樹脂ボールチェーンの正面図である。
【図２】長さを短くした状態の正面図である。
【図３】溶着結合装置の平面図である。
【図４】溶着結合装置の正面図である。
【図５】溶着結合装置の側面図である。
【図６】ボール溶融状態の平面図である。
【図７】ボール接合状態の正面図である。
【考案を実施するための最良の形態】
【００１６】
樹脂ボールチェーンは、図１に示すように、合成樹脂材料から成る紐１に、合成樹脂材料から成るボール２を長手方向に等間隔に設けた輪状態である。
この樹脂ボールチェーンの長さを短くする場合には、その短い長さに対応した２つのボール２を、一方のボール分割部分２ａと他方のボール分割部分２ｂとにそれぞれ切断し、その切断した２つのボール２の他方のボール分割部分２ｂ間のボールチェーンを除去し、２つのボール２の一方のボール分割部分２ａの切断面２ｃを図２に示すように溶着結合して１つのボール２とすることで輪形状の樹脂ボールチェーンとする。
前述のボール２の切断位置は、ボール２の紐１の長手方向の長さの半分の位置からずれた位置で、図１に示すように溶着結合する一方のボール分割部分２ａの長さＬ１が、除去する他方のボール分割部分２ｂの長さＬ２よりも長くし、一方のボール分割部分２ｂに溶着代を設け、図２に示すように切断面２ｃを溶着結合したボール２が所定の大きさとなるようにする。
前述のボール２の他方のボール分割部分２ｂの切断面２ｃ相互を溶着結合して輪状態の樹脂ボールチェーンとすることができる。
【００１７】
この実施の形態のボール２は、円柱部分と、この円柱部分の長手方向両端部と連続した２つの半球部分を有するほぼ球形状で、その円柱部分を切断するようにしている。
これにより、２つのボールの切断面が、同じ大きさの円形状であるから、ずれ無く正確に溶着結合し易い。
なお、ボール２は円柱部分を有しない球形状であっても良い。
【００１８】
前述のように、切断した２つのボール２の切断面２ｃを溶着結合する装置は、図３、図４、図５に示すように、一対の樹脂ボールチェーン載置台１０，１０と、ヒータ２０を備えている。
前記一対の樹脂ボールチェーン載置台１０，１０は、Ｘ方向（図３、図４で左右方向）に相対向して配設されていると共に、互いに接近、離隔するように移動自在である。
前記樹脂ボールチェーン載置台１０は、ボール収容部１１と紐収容部１２を有している。
前記ボール収容部１１は、前述した切断したボールの一方のボール分割部分２ａを収容し、動かないように保持すると共に、一対の樹脂ボールチェーン載置台１０を互いに接近する方向に移動することで、保持しているボールの一方のボール分割部分２ａの切断面２ｃ相互を圧接できるようにしてある。
前記紐収容部１２は、前述した切断したボールの一方のボール分割部分２ａと連続した紐１を収容し、前記ボール収容部１１に一方のボール分割部分２ａを収容する際に、前述の紐１が邪魔にならないようにする。
【００１９】
前記ヒータ２０は、一対の樹脂ボールチェーン載置台１０のボール収容部１１でそれぞれ保持しているボールの一方のボール分割部分２ａの切断面２ｃを加熱して溶融する加熱位置と、その２つのボールの一方のボール分割部分２ａの切断面２ｃを圧接して溶着結合するときに邪魔にならない退避位置に移動自在である。
【００２０】
このようであるから、一対の樹脂ボールチェーン載置台１０のボール収容部１１にボールの一方のボール分割部分２ａをそれぞれ収容して保持すると共に、紐収容部１２に紐１を収容し、ヒータ２０を加熱位置に移動してボールの一方のボール分割部分２ａの切断面２ｃをそれぞれ加熱溶融する。
この後に、ヒータ２０を退避位置に移動し、一対の樹脂ボールチェーン載置台１０を互いに接近する方向に移動することで切断面２ｃを溶着結合してボールを形成できると共に、樹脂ボールチェーンを輪状態にできる。
したがって、切断された２つのボールを、その切断面がずれることなく正確に溶着結合することができる。
【００２１】
次に、樹脂ボールチェーン載置台１０、ヒータ２０の詳細を説明する。
基台３０に支持台３１を設け、この支持台３１に設けたガイド部３２に沿って一対の可動体３３をＸ方向に移動自在に設け、この一対の可動体３３を図示しない移動手段で互いに接近する方向、離隔する方向に移動できるようにする。
前記移動手段は、エアーシリンダーなどの駆動体でアームを揺動し、そのアームの揺動で可動体３３を移動するものとしてあるが、これに限ることはなく、従来から知られている構成を用いることもできる。
前記一対の可動体３３の上に樹脂ボールチェーン載置台１０がボルトなどでそれぞれ取り付けてある。
前記一対の樹脂ボールチェーン載置台１０を移動手段で移動しても良い。
【００２２】
前記ボール収容部１１は、樹脂ボールチェーン載置台１０の対向側の端面１０ａと上面１０ｂに開口し、かつ下部は略半球面形状で、上部は平面形状がほぼ半円形状の溝状で、切断したボールの一方のボール分割部分２ａを上から下に向けて移動することで収容できるようにしてある。
前記紐収容部１２は、ボール収容部１１の開口縁と反対側の底面１１ａと樹脂ボールチェーン載置台１０の対向側の端面１０ａとＸ方向（移動方向）に反対側の端面１０ｃとに亘って連続し、かつ上面１０ｂに開口した溝状で、前述のようにボールの一方のボール分割部分２ａを上から下に向けて移動することで、その一方のボール分割部分２ａと連続した紐１を収容できるようにしてある。
【００２３】
この実施の形態においては、樹脂ボールチェーン載置台１０は、本体１３と、この本体１３の上面に設けた立上り部１４を備え、その本体１３はＸ方向寸法とＹ方向寸法が長く、長尺で幅広い平面矩形状で、可動体３３にしっかりと安定して取り付けできるようにしてある。
前記立上り部１４はＸ方向寸法とＹ方向寸法が短く、短尺で幅狭い平面矩形状で、その立上り部１４にボール収容部１１と紐収容部１２が形成され、この立上り部１４のＸ方向の両端面が前述の対向側の端面１０ａ、反対側の端面１０ｃで、その端面１０ａと端面１０ｃとの間の寸法が小さい。
これによって、隣接したボール２間の距離が短い樹脂ボールチェーンにも対応できる。
【００２４】
前記ボール収容部１１のＸ方向（移動方向）の寸法は切断したボールの一方のボール分割部分２ａの長さＬ１よりも短く、図３に仮想線で示すように、そのボールの一方のボール分割部分２ａをボール収容部１１に収容して保持した状態で、そのボールの一方のボール分割部分２ａの切断面２ｃが対向側の端面１０ａから突出するようにしてある。
これによって、ボールの一方のボール分割部分２ａに溶着代を確保できる。
【００２５】
前記紐収容部１２の長さ、つまりボール収容部１１の前述の底面１１ａと樹脂ボールチェーン載置台１０の反対側の端面１０ｃとの間の距離は、図１に示す樹脂ボールチェーンの隣接したボール２間の距離Ｓと同一、または若干短くなっている。
これによって、図３に仮想線で示すように、ボールの一方のボール分割部分２ａがボール収容部１１の底面１１ａに接すると共に、そのボールと隣接したボール２が樹脂ボールチェーン載置台１０の反対側の端面１０ｃに接するので、前述のボールの一方のボール分割部分２ａと紐１をしっかりと保持することができる。
【００２６】
前記ヒータ２０はＹ方向（図３で上下方向）に移動自在で、移動手段２１、例えばシリンダーで図３に実線で示すように、一対の樹脂ボールチェーン載置台１０の対向側の端面１０ａ間に入り込んだ位置（前述の加熱位置）と、図３に仮想線で示す一対の樹脂ボールチェーン載置台１０の対向側の端面１０ａ間から抜き出した位置（前述の退避位置）とに亘って移動する。
前記ヒータ２０が加熱位置のときには、前記樹脂ボールチェーン載置台１０のボール収容部１１に収容されたボールの一方のボール分割部分２ａの切断面２ｃが、前記ヒータ２０と相対向するようにしてある。
【００２７】
このようであるから、ボール収容部１１に収容して保持している切断したボールの一方のボール分割部分２ａの切断面２ｃをヒータ２０に押しつけて十分に加熱溶融できる。
したがって、その切断面２ｃ相互を圧接することでしっかりと溶着結合することができる。
【００２８】
前記一対の樹脂ボールチェーン載置台１０には、保持しているボールの一方のボール分割部分２ａの溶融代を規制する第１ストッパ４０と、溶融したボールの一方のボール分割部分２ａの圧接代を規制する第２ストッパ５０が設けてある。
前記第１ストッパ４０は、樹脂ボールチェーン載置台１０に設けたブラケット４１にボルト４２をＸ方向に向けて螺合し、そのボルト４２の先端面をヒータ２０に当接するようにしてある。
そして、ロックナット４３を弛めてボルト４２を締め付け、弛めることで先端面のＸ方向の位置を変えることで、前述の溶融代を調整できるようにしてある。
【００２９】
前記第２ストッパ５０は、載置台１０にボルト５１をＸ方向に向けて、その先端部が載置台１０の対向側の端面１０ａから突出するように螺合してロックナット５２でロックしてある。
そして、一対のボルト５１の先端面が当接して前述の圧接代を規制するようにしてあると共に、ロックナット５２を弛めてボルト５１を締め付け、弛めて先端面の位置をＸ方向に変えることで、前述の圧接代を調整できる。
【００３０】
次に、樹脂ボールチェーンの溶着結合動作を説明する。
図３に仮想線で示すようにヒータ２０を退避位置とし、切断したボールの一方のボール分割部分２ａをボール収容部１１に収容すると共に、紐１を紐収容部１２に収容する。
図３に実線で示すようにヒータ２０を加熱位置に移動し、一対の樹脂ボールチェーン載置台１０に互いに接近する方向に遅い速度で移動し、ボール収容部１１で保持しているボールの一方のボール分割部分２ａの切断面２ｃをヒータ２０に接し、さらに移動してボールの一方のボール分割部分２ａの切断面２ｃを加熱して順次溶融する。
【００３１】
そして、所定の溶融代となると図６に示すように、第１ストッパ４０のボルト４２の先端面がヒータ２０に当接し、一対の樹脂ボールチェーン載置台１０がそれ以上に互いに接近する方向に移動できなくする。
これによって、ボールの一方のボール分割部分２ａの溶融代が所定の値に規制される。
つまり、樹脂ボールチェーン載置台１０を移動手段で移動することでボールの一方のボール分割部分２ａを溶融するから、所定の溶融代となったときに、その移動手段を停止して載置台１０を停止するのは大変困難であり、溶融代が大きくなったり、小さくなったりするので、第１ストッパ４０をヒータ２０に当接して載置台１０をそれ以上移動しないようにする。
【００３２】
一対の樹脂ボールチェーン載置台１０の移動を停止し、互いに離隔する方向に若干移動してボールの一方のボール分割部分２ａの溶融した部分をヒータ２０から離す。
そして、ヒータ２０を退避位置に移動する。
【００３３】
この後に、一対の樹脂ボールチェーン載置台１０を互いに接近する方向に前述よりも速い速度で移動し、保持している一対のボールの一方のボール分割部分２ａの切断面２ｃを圧接して溶着結合する。
そして、所定の圧接代となると図７に示すように第２ストッパ５０のボルト５１の先端面同士が当接して載置台１０がそれ以上移動しないようにし、圧接代を所定の値に規制する。
【００３４】
これによって、２つのボールの一方のボール分割部分２ａ，２ａを、図１に示すボール２と同じ大きさに溶着結合することができる。
【００３５】
この後に、一対の樹脂ボールチェーン載置台１０から溶着結合した樹脂ボールチェーンを取り出し、溶着結合した部分に発生しているバリを除去する。
【符号の説明】
【００３６】
１…紐、２…ボール、２ａ…一方のボール分割部分、２ｃ…切断面、１０…樹脂ボールチェーン載置台、１１…ボール収容部、１２…紐収容部、２０…ヒータ、４０…第１ストッパ、５０…第２ストッパ。
【図１】
0003157258.tif 000003
【図２】
0003157258.tif 000004
【図３】
0003157258.tif 000005
【図４】
0003157258.tif 000006
【図５】
0003157258.tif 000007
【図６】
0003157258.tif 000008
【図７】
0003157258.tif 000009